(57)【要約】【課題】購入者が遊技機検定の目通しを行いながら遊技機購入の意思決定を行うことができる遊技機売買方法及び遊技機売買システムを提供する。【解決手段】遊技機売買方法は、購入希望者に、売却希望遊技機の情報と、遊技機検定の受任可能者の情報とを同時又は順次に提供する情報提供ステップと、その後に、購入希望者に対して、目的の遊技機の売買意思を確定表示させ、購入希望の場合にのみ遊技機検定の受任可能者の中から依頼したい検定代行者の選定意思を確定表示させる意思表示ステップとを含む。【選択図】図３
2007148997.tif 000002
【特許請求の範囲】
【請求項１】
購入希望者に、売却希望遊技機の情報と、遊技機検定の受任可能者の情報とを同時又は順次に提供する情報提供ステップと、
前記情報提供ステップの後に、購入希望者に対して、目的の遊技機の売買意思を確定表示させ、購入希望の場合にのみ遊技機検定の受任可能者の中から依頼したい検定代行者の選定意思を確定表示させる意思表示ステップと
を含む、遊技機売買方法。
【請求項２】
売却希望遊技機の情報の一つとして、売買基準価格が含まれており、
売買成立後に、購入者から、売買基準価格の額を受領すると共に、売却者へ、売買基準価格の額を弁済し、且つ、購入者及び売却者の双方から同額又は異なる額の仲介手数料もしくは一方から仲介手数料を受領するステップと、
売買成立後に、前記選定された検定代行者に、前記仲介手数料の合計額の一部又は全部の額を提供するステップと
をさらに含む、請求項１に記載の遊技機売買方法。
【請求項３】
売却希望遊技機の情報には少なくとも、売却機種、売却台数、売却台所在地、売買基準価格、撤去又は引渡可能時期、が含まれ、
遊技機検定の受任可能者の情報には少なくとも、検定代行者、所在地、が含まれる、
請求項１又は２に記載の遊技機売買方法。
【請求項４】
前記情報提供ステップの情報の提供及び前記意思表示ステップの各種意思の表示は、インターネットを介して送受信される、請求項１乃至３の何れか一項に記載の遊技機売買方法。
【請求項５】
売却希望遊技機の情報と、遊技機検定の受任可能者の情報とを記憶している情報記憶装置と、
購入希望者が、前記情報記憶装置に記憶されている売却希望遊技機の情報と、遊技機検定の受任可能者の情報とを同時又は順次に受け取る情報受取端末と、
売却希望遊技機の情報と、遊技機検定の受任可能者の情報とを見た購入希望者が、目的の遊技機の売買意思を表示し、少なくとも購入希望の場合には遊技機検定の受任可能者の中から依頼したい検定代行者の選定意思を表示する意思表示端末と
を備える遊技機売買システム。
【請求項６】
売却希望遊技機の情報には少なくとも、売却機種、売却台数、売却台所在地、売買基準価格、撤去又は引渡可能時期、が含まれ、
遊技機検定の受任可能者の情報には少なくとも、検定代行者の氏名又は名称、所在地、が含まれる、
請求項５に記載の遊技機売買システム。
【請求項７】
前記記憶装置、前記情報受取端末、前記意思表示端末はインターネットを介して接続されている、請求項５又は６に記載の遊技機売買システム。
【発明の詳細な説明】
【技術分野】
【０００１】
本発明は、遊技機売買方法及び遊技機売買システムに関するものである。
【背景技術】
【０００２】
従来から、パチンコ機やパチスロ機等の遊技機を備えた遊技機ホールにおいては、顧客の関心や興味を満たし顧客を飽きさせないようにするため、比較的短期間に遊技機の機種を積極的に入れ替えたりすることが行われている。また、これに伴い、遊技機の中古売買も活発になされている。
【０００３】
近年では、インターネットを用いた売買システムも考案されており、売買希望者や売買希望の中古遊技機の情報などが開示され、各者がその情報の検索、閲覧を介して中古遊技機の売買を行っている（特許文献１参照）。
【特許文献１】特開２００４−１３６８８号公報
【発明の開示】
【発明が解決しようとする課題】
【０００４】
ところで、パチンコ機やパチスロ機等の遊技機に関しては、中古遊技機の購入者は、売買当事者間での購入手続が完了すればすぐさま、自己のホールにてその中古遊技機を営業に用いることができるものではない。すなわち、管轄の警察署・公安委員会が行う遊技機検定をパスする必要がある。そして、通常、かかる遊技機検定は、購入者が検定に関する組合に所属する組合構成員に依頼し、その者によって代行して行われる。そのため、中古遊技機の購入者は、中古遊技機の購入とは別個に、遊技機検定をパスするための準備や依頼も自ら行わなければならなかった。
【０００５】
本発明は、このような遊技機売買が抱えている特殊な事情に鑑みてなされたものであり、購入者が遊技機検定の目通しを行いながら遊技機購入の意思決定を行うことができる、遊技機売買方法及び遊技機売買システムを提供することを目的とする。
【課題を解決するための手段】
【０００６】
上述した課題を解決するため、本発明に係る遊技機売買方法は、購入希望者に、売却希望遊技機の情報と、遊技機検定の受任可能者の情報とを同時又は順次に提供する情報提供ステップと、前記情報提供ステップの後に、購入希望者に対して、目的の遊技機の売買意思を確定表示させ、購入希望の場合にのみ遊技機検定の受任可能者の中から依頼したい検定代行者の選定意思を確定表示させる意思表示ステップとを含む。
【０００７】
好適には、売却希望遊技機の情報の一つとして、売買基準価格が含まれており、売買成立後に、購入者から、売買基準価格の額を受領すると共に、売却者へ、売買基準価格の額を弁済し、且つ、購入者及び売却者の双方から同額又は異なる額の仲介手数料もしくは一方から仲介手数料を受領するステップと、売買成立後に、前記選定された検定代行者に、前記仲介手数料の合計額の一部又は全部の額を提供するステップとをさらに含む。
【０００８】
また、売却希望遊技機の情報には少なくとも、売却機種、売却台数、売却台所在地、売買基準価格、撤去又は引渡可能時期、が含まれ、遊技機検定の受任可能者の情報には少なくとも、検定代行者、所在地、が含まれるようにしてもよい。
【０００９】
前記情報提供ステップの情報の提供及び前記意思表示ステップの各種意思の表示は、インターネットを介して送受信されるようにしてもよい。
【００１０】
さらに、本発明は、同課題を解決するための遊技機売買システムも提供する。本発明に係る遊技機売買システムは、売却希望遊技機の情報と、遊技機検定の受任可能者の情報とを記憶している情報記憶装置と、購入希望者が、前記情報記憶装置に記憶されている売却希望遊技機の情報と、遊技機検定の受任可能者の情報とを同時又は順次に受け取る情報受取端末と、売却希望遊技機の情報と、遊技機検定の受任可能者の情報とを見た購入希望者が、目的の遊技機の売買意思を表示し、少なくとも購入希望の場合には遊技機検定の受任可能者の中から依頼したい検定代行者の選定意思を表示する意思表示端末とを備える。
【００１１】
売却希望遊技機の情報には少なくとも、売却機種、売却台数、売却台所在地、売買基準価格、撤去又は引渡可能時期、が含まれ、遊技機検定の受任可能者の情報には少なくとも、検定代行者の氏名又は名称、所在地、が含まれるようにしてもよい。
【００１２】
また、前記記憶装置、前記情報受取端末、前記意思表示端末はインターネットを介して接続されていてもよい。
【発明の効果】
【００１３】
上述した本発明によれば、購入者が遊技機検定の目通しを行いながら遊技機購入の意思決定を行うことができる。
【００１４】
なお、本発明の他の特徴及びそれによる作用効果は、添付図面を参照し、実施の形態によって更に詳しく説明する。
【発明を実施するための最良の形態】
【００１５】
以下、本発明に係る遊技機売買方法及び遊技機売買システムの実施の形態について添付図面に基づいて説明する。なお、図中、同一符号は同一又は対応部分を示すものとする。
【００１６】
まず、本発明に関する人的な関係を、図１に基づいて説明する。本発明は、仲介者を介して、主に、購入希望者（購入者）の各々、検定受任可能者（検定代行者）の各々及び売却希望者（売却者）の各々がつながっている。
【００１７】
仲介者は、遊技機売買に関する仲介を行う者であって、遊技機売買に関するデータベースを所有、管理、使用及び／又は用意する者である。購入希望者（購入者）は、遊技機の購入を希望する者（購入を決めた者）である。売却希望者（売却者）は、遊技機の売却を希望する者（売却を決めた者）である。検定受任可能者（検定代行者）は、検定に関する組合に所属する組合構成員であって、仲介者を介して検定の代行を受任する意思を持っている者（検定の代行を引き受けた者）である。なお、「者」と称するが、これはそれぞれ、自然人に限定する趣旨ではなく、法人等の団体や組織を広く含んでいる。
【００１８】
これらの購入希望者（購入者）、検定受任可能者（検定代行者）及び売却希望者（売却者）はそれぞれ、仲介者に対して、下記に詳細に説明するような情報の授受や意思表示・通知などの授受を行う。
【００１９】
図２に基づいて、本実施の形態に係る遊技機売買システムの構成を説明する。遊技機売買システム１は、仲介者サイドにおいてデータベースとして機能する情報記憶装置３と、購入希望者サイドの情報受取端末５及び意思表示端末７とを含んでいる。仲介者サイドには、仲介処理装置９が設けられており、本実施の形態では、情報記憶装置３は、仲介処理装置９内に含まれている。仲介処理装置９には、その他、情報記憶装置３からの情報の出し入れ等を行うための処理装置が含まれている。
【００２０】
購入希望者サイドには、購入処理装置１１が設けられており、本実施の形態では、購入処理装置１１が各対応ステップにおいて情報受取端末５や意思表示端末７として機能する。売却希望者サイドには、売却処理装置１３が設けられている。売却処理装置１３は、各対応ステップにおいて、遊技機情報入力端末１５や購入注文情報受取端末１７として機能する。さらに、検定受任可能者サイドには、検定受任処理装置１９が設けられている。検定受任処理装置１９は、各対応ステップにおいて、検定者情報入力端末２１や選定情報受取端末２３として機能する。
【００２１】
これらの仲介処理装置９、購入処理装置１１、売却処理装置１３及び検定受任処理装置１９はそれぞれ、インターネット２５に接続されており、相互にインターネット２５を介して情報や意思表示・通知の授受が行われる。
【００２２】
また、仲介処理装置９、購入処理装置１１、売却処理装置１３及び検定受任処理装置１９はそれぞれ、本実施の形態では、具体的にはコンピュータであり、情報記憶装置３、情報受取端末５、意思表示端末７、遊技機情報入力端末１５、購入注文情報受取端末１７、検定者情報入力端末２１及び選定情報受取端末２３はそれぞれ、該当するコンピュータの構成部品、構成要素、あるいは機能として捉えられるものである。
【００２３】
次に、遊技機売買システムの作用について説明する。まず、遊技機情報入力端末１５は、売却希望者が売却を希望する遊技機の情報を情報記憶装置３に送ることができ、情報記憶装置３はその情報を、売却希望遊技機の情報として記憶することができる。本実施の形態では、売却希望遊技機の情報には、少なくとも、売却機種、売却台数、売却台所在地、売買基準価格、撤去又は引渡可能時期が含まれる。
【００２４】
検定者情報入力端末２１は、検定受任可能者が自身の情報を情報記憶装置３に送ることができ、情報記憶装置３はその情報を、遊技機検定の受任可能者の情報として記憶することができる。本実施の形態では、遊技機検定の受任可能者の情報には、少なくとも、検定代行者の氏名又は名称、所在地が含まれる。
【００２５】
情報受取端末５は、情報記憶装置３に記憶されている売却希望遊技機の情報及び遊技機検定の受任可能者の情報を同時又は順次に受け取り、それらを同時又は順次に表示することができる。
【００２６】
意思表示端末７は、売却希望遊技機の中から購入を検討する遊技機の仮決定の意思表示、遊技機検定の受任可能者の中から依頼したい検定代行者を選定する意思表示、さらには、購入する遊技機と依頼する検定代行者とを確定する購入注文確定の意思表示をそれぞれ、情報記憶装置３に送ることができる。
【００２７】
購入注文情報受取端末１７は、確定した購入注文の情報を受け取り、それを売却希望者に対して表示することができる。なお、この情報は、売買が成立した当事者である売却希望者すなわち売却者に対してのみ示されるようにしてもよいし、あるいは、その他の第三者となる売却希望者にも示されるようにしてもよい。
【００２８】
検定者情報入力端末２１は、購入注文の確定によって同様に確定した選定情報を受け取り、それを検定受任可能者に対して表示する。なお、この情報も、選定された当事者である検定受任可能者すなわち検定代行者に対してのみ、自己が選定された旨として示されるようにしてもよいし、あるいは、その他の第三者となる検定受任可能者にも示されるようにしてもよい。
【００２９】
次に、上述した遊技機売買システムによる遊技機売買方法について、図１〜図３に基づいて説明する。図３は、遊技機売買方法の主なステップを示すフローチャートである。まず、前段階として、データベースである情報記憶装置３には、予め、売却希望遊技機の情報や遊技機検定の受任可能者の情報などが記憶されている。これに対して、購入希望者は、ステップＳ１として、データベースである情報記憶装置３にアクセスして、遊技機売買を開始する。これは、通常、仲介者が提供する遊技機売買サイトなどのＷｅｂサイトにアクセスすることによる。
【００３０】
次に、購入希望者はＷｅｂサイト内を移動してステップＳ２として、売却希望遊技機の情報が掲載されているリスト画面を閲覧する。ここで、目当ての売却希望遊技機が見当たらない場合には、遊技機売買を終了する。
【００３１】
一方、ステップＳ２において目当ての売却希望遊技機が見つかった場合には、購入希望者は、ステップＳ３として、その購入希望遊技機を、検討中として仮決定する。仮決定の仕方は、特に限定はなく、購入希望遊技機の部位をクリックする態様、チェックを入れる態様、閲覧者のカートやバスケットに入れる態様など、如何なる態様でもよい。
【００３２】
続いて、購入希望者は、ステップＳ４として、遊技機検定の受任可能者の情報が掲載されているリスト画面を閲覧する。ここで、依頼を希望する検定受任可能者が見当たらない場合には、遊技機売買を終了することもできるし、あるいは、ステップＳ２に戻り、再度、目当ての売却希望遊技機を探すこともできる。何れの場合でも、ステップＳ３において仮決定した購入希望遊技機についての購入義務は生じることがない。
【００３３】
これに対し、ステップＳ４において依頼を希望する検定受任可能者が見つかった場合には、購入希望者は、ステップＳ５として、その検定受任可能者を、仮選定する。仮選定の仕方も、ステップＳ３の仮決定の仕方と同様、如何なる態様でもよい。
【００３４】
購入希望遊技機と、それに対する検定代行の依頼を希望する検定受任可能者とが見つかったならば、ステップＳ６として、その確認が問われ、購入希望者は、最終的な意思に変化がなければ、購入遊技機とその検定代行者とを確定させる。この段階で、初めて、その遊技機に関する購入注文が確定する。
【００３５】
なお、購入注文の確定は、その遊技機を購入したいという肯定的な売買意思の確定表示と、その検定受任可能者に検定代行を依頼したいという選定意思の確定表示とが示されることによる。逆にいうと、その遊技機の購入は取りやめたいという否定的な売買意思によっては、購入注文は確定しない。かかる否定的な売買意思には、ステップＳ２やステップＳ４の後の途中終了やその他、ステップＳ６における確定前の途中終了が含まれており、このような場合には否定的な売買意思が表示されたこととなり、購入注文は確定しない。
【００３６】
この後、該当する売却希望者すなわち売却者に対しては、確定した購入注文の情報（通知）が送られ、該当する検定受任可能者すなわち検定代行者に対しては、自己が選定された旨の選定情報（通知）が送られる。
【００３７】
そして、本実施の形態では、売買成立後に次のような料金の授受が行われる。まず、購入者は、売却希望遊技機に設定されていた売買基準価格と、予め合意されている割合の第１仲介手数料（０円も含む）とを、仲介者に弁済する。
【００３８】
一方、仲介者は、売却者に対して、売買基準価格から、予め合意されている割合の第２仲介手数料（０円も含む）を差し引いた額を、弁済する。なお、この処理は、実際に上記差し引いた額を売却者に支払うことは勿論、異なるタイミングで売却者に売買基準価格そのものを支払うと共に売却者から第２仲介手数料を別途受領する態様も含まれる。
【００３９】
また、仲介者は、購入者から受領した第１仲介手数料と、第２仲介手数料とを合計した額の、一部又は全部の額を、選定祝い金として、選定された検定受任可能者すなわち検定代行者に提供する。
【００４０】
なお、上述した料金の授受は、振り込み、引き落し、クレジットカード、手渡し等、如何なる決済方式でもよい。
【００４１】
以上に説明した遊技機売買方法及び遊技機売買システムによれば、購入希望者（購入者）は、遊技機検定の目通しを行いながら遊技機購入の最終的な売買意思決定を行うことができる。したがって、従来存在していた、遊技機検定を如何にして処理するかといった購入希望者（購入者）の悩みや、購入したものの遊技機検定を通すことができるかといった購入希望者（購入者）の不安を確実に払拭することができ、購入希望者（購入者）は、遊技機検定について憂慮することなく安心して遊技機を購入することができる。特に、遊技機売買についての経験の浅い者や検定代行者の心当たりのない土地への新規出店を計画する者にとって、非常に有益なものである。
【００４２】
また、本遊技機売買方法及び遊技機売買システムは、より多くの検定受任可能者や売却希望者が参加することで、上述した効果がより大きなものとなるところ、検定受任可能者や売却希望者にとっても次に説明するようなメリットがあるため、検定受任可能者及び売却希望者の参加へのインセンティブも非常に高いものである。まず、選定された検定代行者にとっては、検定代行手数料とは別に仲介者より選定祝い金を受領でき、また、選定された場合は勿論、選定されなかった場合でも広告料の支出なくリストへの掲載による広告効果が得られる。また、売却者にとっては、売買が成立したときにのみ予め計算できる仲介手数料が差し引かれるだけであり、売買の成立の可否に拘わらず売却希望を掲載するだけで徴収されるような登録手数料は一切支払わずに済むため、実質的な出費なく、売却を希望することができる。
【００４３】
以上、好ましい実施の形態を参照して本発明の内容を具体的に説明したが、本発明の基本的技術思想及び教示に基づいて、当業者であれば、種々の改変態様を採り得ることは自明である。
【００４４】
まず、上記実施の形態では、仲介処理装置９、購入処理装置１１、売却処理装置１３及び検定受任処理装置１９はそれぞれコンピュータであり、情報記憶装置３、情報受取端末５、意思表示端末７、遊技機情報入力端末１５、購入注文情報受取端末１７、検定者情報入力端末２１及び選定情報受取端末２３はそれぞれ、該当するコンピュータの構成部品、構成要素、あるいは機能として捉えていたが、本発明はこれに限定されるものではなく、上述した情報記憶装置や各種端末はそれぞれ相互に別個の装置として用意されていてもよい。
【００４５】
また、上記実施の形態において、代表的・一般的な具体例として想定する態様では、購入希望者（購入者）、売却希望者（売却者）、検定受任可能者（検定代行者）のそれぞれ自己が所有するコンピュータが、購入処理装置１１、売却処理装置１３、検定受任処理装置１９であった。しかしながら、本発明は、これに限定されるものではなく、会員・使用権利者や不特定多数の者が利用できるように提供されたコンピュータであってもよく、例えば、購入希望者（購入者）が使用している際にはそのコンピュータが購入処理装置１１を構成しており、売却希望者（売却者）や検定受任可能者（検定代行者）が使用している際にはそのコンピュータが売却処理装置１３や検定受任処理装置１９を構成する。よって、極端な例を示すと、購入処理装置１１、売却処理装置１３及び検定受任処理装置１９が一つのコンピュータ又は特定数のコンピュータで構成されており、そのコンピュータの使用場所に、購入希望者（購入者）、売却希望者（売却者）、検定受任可能者（検定代行者）が訪れて操作を行うような態様として、本発明を実施することも可能である。また、かかる思想からも分るように、ある遊技機売買で購入希望者（購入者）である者が、別の遊技機売買の場面では売却希望者（売却者）となることもあり、その場合には、その都度、使用するコンピュータが購入処理装置１１を構成したり売却処理装置１３を構成したりすることになる。
【００４６】
情報記憶装置３は、仲介処理装置９とは別の装置として認定されていたり、物理的に離れた場所に設置されていたりしてもよい。いずれにしても、仲介者によって、所有、管理、使用及び／又は用意されているものである。
【００４７】
購入注文の確定は、購入希望遊技機の仮決定後の、検定代行の依頼を希望する検定受任可能者の選定の時点において確定される態様とすることもできる。
【００４８】
本発明においては、情報や意思表示・通知の授受等は、その全てをインターネットを介さなくてもよく、その一部を、ＬＡＮなどインターネット以外の有線ネットワークや無線ネットワークで行ったり、あるいは、電話、ＦＡＸ、郵便、当事者の対面による伝達、使者等の第三者を介した伝達などの態様に置き換えて実施したりすることも可能である。特に、本発明のうち遊技機売買方法に限っては、情報や意思表示・通知の授受等の全部を、電話、ＦＡＸ、郵便、当事者の対面による伝達、使者等の第三者を介した伝達などの態様で行うようにしてもよい。
【００４９】
なお、本発明は、特に中古遊技機の売買への適用に限定されるものではなく、新品遊技機の売買に適用することも可能である。
【図面の簡単な説明】
【００５０】
【図１】本発明の遊技機売買方法及び遊技機売買システムを適用する際の、人的な関係について説明する図である。
【図２】本発明の実施の形態に係る遊技機売買システムの構成を示す図である。
【図３】本発明の実施の形態に係る遊技機売買方法を説明するフローチャートである。
【符号の説明】
【００５１】
１                      遊技機売買システム
３                      情報記憶装置
５                      情報受取端末
７                      意思表示端末
【図１】
2007148997.tif 000003
【図２】
2007148997.tif 000004
【図３】
2007148997.tif 000005